(57)【要約】【課題】  施工完了後でも縦目地の点検・確認を屋内側から容易に行なうことができる外壁パネルの目地部構造を提供する。【解決手段】  左右に隣り合う外壁パネル２，２間の縦目地１５の目地部構造である。各外壁パネル２，２を建物躯体１７に取付ける縦方向の胴縁３が、縦目地１５からパネル横幅方向に離れた位置にある。外壁パネル２の裏側で、縦目地１５に跨がり縦目地１５の長手方向に沿って延びる板状の押さえ部材４が左右に隣り合う外壁パネル２，２の裏面に取付けられる。縦目地１５の内部の屋内側には耐火材１３が、屋外側には密封部材１４がそれぞれ介在する。押さえ部材４は、縦目地１５に跨がり配置され、押さえ部材４と外壁パネル２の裏面との間にシーリングテープ６が介在する。【選択図】      図１
2018080578.tif 000002
【特許請求の範囲】
【請求項１】
左右に隣り合う外壁パネル間の縦目地の目地部構造であって、前記各外壁パネルを建物躯体に取付ける縦方向の胴縁が、前記縦目地からパネル横幅方向に離れた位置にあり、前記外壁パネルの裏側で、前記縦目地に跨がり前記縦目地の長手方向に沿って延びる板状の押さえ部材が、前記左右に隣り合う外壁パネルの裏面に取付けられ、前記縦目地の内部の屋内側に耐火材が介在し屋外側に密封部材が介在し、前記押さえ部材と前記外壁パネルの裏面との間にシーリングテープが介在していることを特徴とする外壁パネルの目地部構造。
【請求項２】
請求項１に記載の外壁パネルの目地部構造において、前記押さえ部材が、前記外壁パネルの目地部構造の構成する部材の中で、前記外壁パネルの裏面の最表面に配置され、前記押さえ部材が前記外壁パネルに対して取外し可能である外壁パネルの目地部構造。
【請求項３】
請求項１または請求項２に記載の外壁パネルの目地部構造において、前記押さえ部材が、前記縦目地の両側に曲げ部分を有する外壁パネルの目地部構造。
【請求項４】
請求項１または請求項２に記載の外壁パネルの目地部構造において、
前記押さえ部材、前記シーリングテープ、前記耐火材が、この順に前記縦目地の外側から内側に位置していて、
前記外壁パネルが設置された後の前記縦目地での施工が、
前記縦目地内の屋内側の部分への前記耐火材の配置の後に、
前記外壁パネルの裏面への前記押さえ部材の取付けの順に行える、
外壁パネルの目地部構造。
【請求項５】
左右に隣り合う外壁パネル間の縦目地の目地部を施工する方法であって、
前記目地部は、前記各外壁パネルを建物躯体に取付ける縦方向の胴縁が、前記縦目地からパネル横幅方向に離れた位置にあり、前記外壁パネルの裏側で、前記縦目地に跨がり前記縦目地の長手方向に沿って延びる板状の押さえ部材が、前記左右に隣り合う外壁パネルの裏面に取付けられ、前記縦目地の内部の屋内側に耐火材が介在し屋外側に密封部材が介在し、前記押さえ部材と前記外壁パネルの裏面の間にシーリングテープが介在し、
前記押さえ部材、前記シーリングテープ、前記耐火材が、この順に前記縦目地の外側から内側に位置し、
前記外壁パネルが設置された後の前記縦目地での施工につき、
前記縦目地内の屋内側の部分への前記耐火材の配置の後に、
前記外壁パネルの裏面への前記押さえ部材の取付けを行う、
外壁パネルの目地部の施工方法。
【発明の詳細な説明】
【技術分野】
【０００１】
この発明は、物流施設等の鉄骨系建物等において、隣り合う外壁パネル間の縦目地に耐火性と水密性を持たせた外壁パネルの目地部構造および目地部施工方法に関する。
【背景技術】
【０００２】
物流施設、コンビニエンスストア等の建物の外壁において、ロックウールなどの不燃断熱材を鋼板で挟み込んだ金属サンドイッチ構造の外壁パネルを、上下に複数枚並べて構築するものがある。このような外壁を施工するのに、従来は、スラブや柱，梁等からなる建物躯体に、下地となる胴縁を先行して取付け、この胴縁に前記複数枚の外壁パネルを取付けている。
【０００３】
従来工法のパネル端部の納まりの一例を図７に示す。左右に隣り合う外壁パネル２２，２２間の縦目地３５では、角パイプからなる縦方向の胴縁２３を前記外壁パネル２２の裏側で前記縦目地３５に跨がって目地芯に設置する。外壁パネル２２の表面を構成する鋼板２８の端部には折曲片２８ａを設け、縦目地３５では隣り合う外壁パネル２２，２２の折曲片２８ａ，２８ａを重ね合わせ、それらをタッピングビス等のビス３６で前記胴縁２３に留め付ける。前記縦目地３５内の屋外側にはシーリング材３４を充填して防水する。各外壁パネル２２，２２内の端部では、屋外側に目地シール２７ａ，２７ｂ、およびシーリング材２７ｃを配置し、屋内側にも目地シール２７ｄを配置している。縦目地３５内の屋内側にはセラミックファイバー等の耐火材３３を設置して、耐火性を確保している。
【０００４】
図８は、従来工法のパネル端部の納まりの他の例を示す。この例では、縦目地３５を挟む両外壁パネル２２，２２の端部内の屋外側にそれぞれパッキング２７ｅを配置し、これを囲むようにセラミックファイバー等の耐火材２７ｆを配置している。その他の構成は、図７の従来例の場合と同様である。
【先行技術文献】
【特許文献】
【０００５】
【特許文献１】特許第３５５０３０４号公報
【特許文献２】特開平０６−０２６１８７号公報
【特許文献３】特許第２８５９６３１号公報
【特許文献４】特許第２８１８３３９号公報
【特許文献５】特開２００１−０９８６６４号公報
【特許文献６】特許第４１５７８８８号公報
【発明の概要】
【発明が解決しようとする課題】
【０００６】
上記従来の外壁構造では、縦目地３５の位置で外壁パネル２２の裏側に胴縁２３が存在している。そのため、外壁パネル２２の縦目地３５に水漏れなどが生じた場合や、外壁の施工完了後の確認のために、縦目地３５を点検しようとしても、胴縁２３が障害となって建物の屋内側から縦目地３５を点検・確認することができない。前記胴縁２３は外壁パネル２２を建物躯体に取付ける部材であるため、外壁パネル２２を取り外して縦目地３５を点検することもできない。そのため、縦目地３５の点検・確認をするには、建物の外部に足場が必要であり、点検・補修が困難である。
また、外壁を耐火構造とするには、縦目地３５にシーリング材３４の他に耐火材３３が必要であるが、建物施工時において、縦目地３５内の耐火材３３およびシーリング材３４は、いずれも屋外側からの処理となるため、外部足場を撤去することができず、外部足場の撤去後に行われる後工程への移行が滞る。
【０００７】
この発明の目的は、耐火構造の外壁としながら、施工完了後でも縦目地の点検・確認を屋内側から容易に行なうことができる外壁パネルの目地部構造および目地部施工方法を提供することである。
【課題を解決するための手段】
【０００８】
この発明の外壁パネルの目地部構造は、左右に隣り合う外壁パネル間の縦目地の目地部構造であって、前記各外壁パネルを建物躯体に取付ける縦方向の胴縁が、前記縦目地からパネル横幅方向に離れた位置にあり、前記外壁パネルの裏側で、前記縦目地に跨がり前記縦目地の長手方向に沿って延びる板状の押さえ部材が、前記左右に隣り合う外壁パネルの裏面に取付けられ、前記縦目地の内部の屋内側に耐火材が介在し屋外側に密封部材が介在し、前記押さえ部材と前記外壁パネルの裏面との間にシーリングテープが介在していることを特徴とする。
【０００９】
この構成によると、外壁パネルを建物躯体に取付ける縦方向の胴縁が、縦目地からパネル横幅方向に離れて位置する。そのため、施工完了後に縦目地における漏水などの点検・確認や補修を行うにつき、胴縁が障害とならず、建物の屋内側から容易に行なうことができる。また、縦目地の裏側に胴縁がないため、縦目地内の耐火材等の施工を屋内側から行うこともでき、屋外側からの縦目地の施工を少なくできて、耐火構造の外壁でありながら屋外足場の撤去が早期に行え、後工程への移行も円滑に行える。
【００１０】
この発明において、前記押さえ部材が、前記外壁パネルの目地部構造の構成する部材の中で、前記外壁パネルの裏面の最表面に配置され、前記押さえ部材が前記外壁パネルに対して取外し可能とされていてもよい。
前記押さえ部材は、前記縦目地の両側に曲げ部分を有していてもよい。
また、前記押さえ部材、前記シーリングテープ、前記耐火材が、この順に前記縦目地の外側から内側に位置していて、
前記外壁パネルが設置された後の前記縦目地での施工が、
前記縦目地内の屋内側の部分への前記耐火材の配置の後に、
前記外壁パネルの裏面への前記押さえ部材の取付けの順に行えるようにされていてもよい。
【００１１】
この発明において、前記押さえ部材が、アングル材であって、このアングル材の片方の板状片が前記縦目地に跨がって前記両外壁パネルの裏面に接し、もう片方の板状片が前記胴縁に取付けられたものであっても良い。
このように押さえ部材をアングル材として胴縁に取付けるようにすると、押さえ部材の取付作業が容易となる。
この発明において、前記左右の外壁パネルは、それぞれ複数枚が上下方向に並び、これら上下方向に並ぶ複数枚の外壁パネルが、パネル横幅方向に並ぶ複数本の互いに共通の胴縁に取付けられて一体に運搬が可能な外壁パネルユニットを構成するものであっても良い。
このように複数枚の外壁パネルを胴縁に取付けて外壁パネルユニットとし大判化すると、外壁パネルを建物躯体に設置する作業が、複数枚纏めて行えて施工の効率が向上する。従来の縦目地の裏側に胴縁が位置する構成では、縦目地の胴縁が両側の外壁パネルに跨がるために、複数枚の外壁パネルを胴縁と共に外壁パネルユニットとして大判化することが困難であるが、この発明では縦方向の胴縁が縦目地から離れた位置にあるため、外壁パネルユニットとして大判化することが容易に行える。
【００１２】
この発明の外壁パネルの目地部の施工方法は、左右に隣り合う外壁パネル間の縦目地の目地部を施工する方法であって、
前記目地部は、
左右に隣り合う外壁パネル間の縦目地の目地部構造であって、前記各外壁パネルを建物躯体に取付ける縦方向の胴縁が、前記縦目地からパネル横幅方向に離れた位置にあり、前記外壁パネルの裏側で、前記縦目地に跨がり前記縦目地の長手方向に沿って延びる板状の押さえ部材が、前記左右に隣り合う外壁パネルの裏面に取付けられ、前記縦目地の内部の屋内側に耐火材が介在し屋外側に密封部材が介在し、前記押さえ部材と前記外壁パネルの裏面との間にシーリングテープが介在していて、
前記押さえ部材、前記シーリングテープ、前記耐火材が、この順に前記縦目地の外側から内側に位置する。
この施工方法は、
前記外壁パネルが設置された後の前記縦目地での施工につき、
前記縦目地内の屋内側の部分への前記耐火材の配置の後に、
前記外壁パネルの裏面への前記押さえ部材の取付けを行う。
【発明の効果】
【００１３】
この発明の外壁パネルの目地部構造は、左右に隣り合う外壁パネル間の縦目地の目地部構造であって、前記各外壁パネルを建物躯体に取付ける縦方向の胴縁が、前記縦目地からパネル横幅方向に離れた位置にあり、前記外壁パネルの裏側で、前記縦目地に跨がり前記縦目地の長手方向に沿って延びる板状の押さえ部材が、前記左右に隣り合う外壁パネルの裏面に取付けられ、前記縦目地の内部の屋内側に耐火材が介在し屋外側に密封部材が介在し、前記押さえ部材と前記外壁パネルの裏面との間にシーリングテープが介在しているため、耐火構造の外壁としながら、施工完了後でも縦目地の点検・確認を容易に行なうことができる。
【図面の簡単な説明】
【００１４】
【図１】この発明の第１の実施形態にかかる外壁パネルの目地部構造を示す部分水平断面図である。
【図２】同目地部構造が適用される外壁パネルユニットの斜視図である。
【図３】同外壁パネルの中間省略断面図である。
【図４】同外壁の施工過程の正面図である。
【図５】この発明の他の実施形態にかかる外壁パネルの目地部構造を示す部分水平断面図である。
【図６】この発明のさらに他の実施形態にかかる外壁パネルの目地部構造を示す部分水平断面図である。
【図７】従来例の部分水平断面図である。
【図８】他の従来例の部分水平断面図である。
【発明を実施するための形態】
【００１５】
この発明の第１の実施形態を図１ないし図４と共に説明する。この外壁パネルの目地部構造が適用される建物は、例えば物流施設となる倉庫やコンビニエンスストア等の鉄骨系建物である。
【００１６】
図１は、この外壁パネルの目地部構造を示す部分水平断面図である。この外壁パネルの目地部構造は、耐火性の外壁パネル２で構成される外壁２０における左右に隣り合う外壁パネル２，２間の縦目地１５の目地部構造である。外壁パネル２は、上下左右にそれぞれ複数枚並んで外壁２０を構成する。各外壁パネル２は、不燃断熱材７を屋外側および屋内側の鋼板８，９で挟み込んだ金属サンドイッチパネルである。不燃断熱材７は、ロックウール等の非定形の材料であるが、けい酸カルシウム板や石膏ボード等であっても良い。屋外側の鋼板８は、左右の縁部に屋内側へ折り曲げられて不燃断熱材７の小口面の屋外側の部分を覆う折曲片８ａを有する。屋内側の鋼板９も、左右の縁部に屋外側へ折り曲げられて不燃断熱材７の小口面の屋内側の一部を覆う折曲片９ａを有する。これら折曲片８ａ，９ａは、前記縦目地１５の内面を構成する。前記折曲片８ａ，９ａは連続しておらず、屋外側および屋内側の鋼板８，９間の熱橋を回避している。
【００１７】
外壁パネル２は、上下方向に延びる複数本の胴縁３に取付けられ、胴縁３を介して建物躯体１７（図４参照）に取付けられる。図１において、胴縁３は、縦目地１５の位置には存在せず、縦目地１５に最も近い胴縁３は、縦目地１５からパネル横幅方向に離れた位置にある。胴縁３は、同図の例ではリップ溝形鋼とされ、パネル端部に近い胴縁３、すなわち縦目地１５の近くに位置する胴縁３は、パネル横幅方向の内向きに開口してウェブ部３ａが縦目地１５側に位置している。胴縁３は、角パイプであっても良い。外壁パネル２の胴縁３への取付けは、外壁パネル２を表裏に貫通するドリル付きタッピングビス等の固着具１０により行なわれる。同図において、固着具１０の頭部が外壁パネル２の表面から沈み込んで図示されているのは、外壁パネル２における上下間の継手部分の凹み部２ａ（図３参照）内に固着具１０が位置し、その頭部が図１に表れているからである。
【００１８】
左右に隣り合う外壁パネル２，２の裏側には、耐火性確保のために、前記縦目地１５に跨がり縦目地１５の長手方向に沿って延びる板状の押さえ部材４が、隣り合う外壁パネル２，２の裏面にバルブタイトまたはドリルビス等の固着具１１で取付けられている。押さえ部材４の取付けは、屋内側から行なわれる。この押さえ部材４と外壁パネル２，２の裏面との間にはシーリングテープ６が介在させてある。
【００１９】
縦目地１５の内部の屋内側にはセラミックファイバー等の耐火材１３が、縦目地１５の内部の屋外側にはレインバリアとなる密封部材１４がそれぞれ介在させてある。密封部材１４は、例えば湿式のシーリング材からなるが、乾式のガスケットを用いても良い。前記押さえ部材４は、厚み１．６ｍｍ以上の鋼板等の金属板３からなり、前記左右に隣り合う外壁パネル２，２の裏面に位置する部分のうち、前記固着具１１を貫通させる箇所よりも中央側の部分は、水平断面形状が矩形の波形となる断面形状の凹凸形状部４ａとされている。押さえ部材４における縦目地１５の裏側に位置する部分は、縦目地１５から屋内側に離れるように突出した台形波形の凹凸形状部４ｂとされている。この押さえ部材４は、金属板をプレス加工して形成される。なお、前記押さえ部材４は、前記波形とする代わりに、単に段差を持つ凹凸形状部としても良い。
【００２０】
外壁パネル２の縦目地１５付近の詳細例を説明すると、折曲片８ａの内側には前記不燃断熱材７の木口面の屋外側の部分を覆う目地シール７ａが配置されている。この目地シール７ａは、石膏ボード等の不燃断熱材からなる。また、前記目地シール７ａの屋外側端部から屋外側鋼板８の裏面に沿って端部から離れる方向に延びる別の目地シール７ｂが配置され、さらにこの目地シール７ｂの端部に続けて屋外側鋼板８の裏面にシーリング材７ｃが設けられている。折曲片９ａの内側にも、石膏ボード等の不燃断熱材からなり前記不燃断熱材７の木口面の屋内側の一部を覆う目地シール７ｄが設けられている。
【００２１】
外壁パネル２を取付けた後の縦目地１５での施工は以下の手順で行なわれる。
（１）  縦目地１５内の屋外側の部分への密封部材１４の配置。
（２）  縦目地１５内の屋内側の部分への耐火材１３の配置。
（３）  左右に隣り合う外壁パネル２，２の縦目地１５付近の目地シール７ｄおよびシーリングテープ６の配置。
（４）  縦目地１５を跨ぐ左右に隣り合う外壁パネル２，２の裏面への押さえ部材４の取付け。
【００２２】
図２は、この外壁パネルの目地部構造を適用した外壁パネルユニット１の斜視図を示す。前記外壁パネル２は複数枚が上下方向に並び、これら複数枚の外壁パネル２が、パネル横幅方向に並ぶ複数本の互いに共通の胴縁３に取付けられて大判化され、外壁パネルユニット１を構成する。この外壁パネルユニット１とした状態で、複数枚の外壁パネル２が建物躯体１７（図４）に纏めて取付けられる。建物躯体１７は、柱１８、梁１９、床スラブ２１等からなる。外壁パネルユニット１は、上下左右に複数並べて設置され、その胴縁３が、建物躯体１７の梁１９または床フラブ２１にファスナ（図示せず）等でボルト止め等により取付けられる。このように外壁パネル２の複数枚を外壁パネルユニット１として大判化することで、設置作業の効率化が得られる。
【００２３】
この構成の外壁パネルの目地部構造によると、外壁パネル２を建物躯体１７に取付ける縦方向の胴縁３が、隣合う外壁パネル２，２間の縦目地１５からパネル横幅方向に離れた位置にある。そのため、施工完了後に縦目地１５における漏水などの点検・確認や補修を行うにつき、胴縁３が障害とならず、前記押さえ部材４を取り外すことで、建物の屋内側から容易に行なうことができる。また、縦目地１５の裏側に胴縁３がないため、縦目地１５内の耐火材等の施工を屋内側から行うことができ、屋外側からの縦目地１５の施工を少なくできて、耐火構造の外壁２０でありながら屋外足場の撤去が早期に行え、後工程への移行も円滑に行える。また、縦目地１５内の耐火材１３を金属板製の押さえ部材４が屋内側から覆うため、耐火性が向上する。
【００２４】
この実施形態では、前記押さえ部材４を、水平断面形状が波形または段差状の凹凸形状部４ａ，４ｂを有する金属板で構成しているので、左右に隣り合う外壁パネル２，２の裏
面の出入り誤差を押さえ部材４によって吸収することができる。また、押さえ部材４の水平断面形状が凹凸形状であることで、外壁パネル２の裏面と押さえ部材４との間に形成される縦方向に延びる空間が、縦目地１５に浸入した雨水を下方に導く樋状の案内となり、縦目地１５の防水性をより高めることができる。
【００２５】
図５は、この発明の他の実施形態の部分水平断面図を示す。この外壁パネルの目地部構造では、図１および図２に示した先の実施形態において、外壁パネル２の屋外側鋼板８の折曲片８ａの内側に配置した目地シール７ａを、パッキング７ｅに置き換えている。また、屋外側鋼板８の裏面に沿わせて配置した目地シール７ｂおよびシーリング部材７c を省略している。その他の構成は先の実施形態の場合と同様である。
【００２６】
図６は、この発明のさらに他の実施形態の部分水平断面図を示す。この外壁パネルの目地部構造では、図５に示した先の実施形態において、前記押さえ板４としてアングル材を用い、その片方の板状片４ａが前記縦目地１５に跨がって前記左右に隣り合う外壁パネル２，２の裏面に接し、もう片方の板状片４ａが前記胴縁３にボルト等の締結具１２で取付けられている。左右に隣り合う外壁パネル２，２の屋外側鋼板８の折曲片８ａは、その先端にパネル幅方向に向けて折り曲げた折曲端部８ａａを有し、これら左右の折曲端部８ａａ，８ａａを互いに重ね合わせた部分を貫通するドリル付きタッピングビス等の固着具１６により、前記押さえ部材４となるアングル材の前記左右に隣り合う外壁パネル２，２の裏面に接するもう片方の板状片４ａが外壁パネル２に取付けられている。その他の構成は、図５に示した実施形態の場合と同様である。
【００２７】
この実施形態の場合、押さえ部材４をアングル材として胴縁３に取付けるようにしたため、押さえ部材４の取付作業が容易となる。
【００２８】
なお、上記各実施形態では、外壁パネル２を大判化して外壁パネルユニット１を構成するようにしたが、この発明は、外壁パネルユニット１とせずに、躯体１７に胴縁３を取付けた後に外壁パネル２を胴縁３に取付ける形式の外壁にも適用することができる。また、外壁パネル２は金属サンドイッチパネルに限らず、例えばセラミック製の外壁パネルを用いた外壁における目地部構造にもこの発明を適用することができる。
【符号の説明】
【００２９】
１…外壁パネルユニット
２…外壁パネル
３…胴縁
４…押さえ部材
４ａ…板状片
１３…耐火材
１４…密封部材
１５…縦目地
１７…建物躯体
【図１】
2018080578.tif 000003
【図２】
2018080578.tif 000004
【図３】
2018080578.tif 000005
【図４】
2018080578.tif 000006
【図５】
2018080578.tif 000007
【図６】
2018080578.tif 000008
【図７】
2018080578.tif 000009
【図８】
2018080578.tif 000010